【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
対象への医薬組成物の局所投与のための医薬組成物を分配するためのアプリケーターデバイスであって、
チューブ；
チューブ内に位置するアンプル；
アンプル内に含有される医薬組成物；
テーパーチップを有する、チューブに取り付けられたディスペンサーチップ；および
流体の通過を可能にし、および少なくとも１５０μｍの粒子サイズを有する割られたアンプル破片の通過を妨げるように構築および配置されている、ディスペンサーチップのテーパーチップ内に位置するフィルター、
を備える、前記アプリケーターデバイス。
【請求項２】
フィルターが、フィルターとテーパーチップの内部表面との間の締まりばめを介してディスペンサーチップ内に保持される、請求項１に記載のアプリケーターデバイス。
【請求項３】
フィルターの遠位端が、フィルターの近位端よりも圧縮されている、請求項２に記載のアプリケーターデバイス。
【請求項４】
ディスペンサーチップが内部表面および外部表面を備え、ここで、内部表面の少なくとも一部は第１のテーパー角でテーパーが付けられ、および外部表面の少なくとも一部は第２のテーパー角でテーパーが付けられている、請求項１〜３のいずれか一項に記載のアプリケーターデバイス。
【請求項５】
第２のテーパー角が第１のテーパー角とは異なる、請求項４に記載のアプリケーターデバイス。
【請求項６】
第１のテーパー角が２．５〜５．５度である、請求項４に記載のアプリケーターデバイス。
【請求項７】
ディスペンサーチップが第１の部分および第２の部分を備え、ここで、第１の部分はテーパリング内部直径を有し、および第２の部分は一定の内部直径を有する、請求項１〜６のいずれか一項に記載のアプリケーターデバイス。
【請求項８】
第２の部分が第１の部分の遠位にある、請求項５に記載のアプリケーターデバイス。
【請求項９】
ディスペンサーチップが、テーパーチップの外部表面を流れ落ちる流体を受け取るように構成された溝を備えるドリップガードを備える、請求項１〜８のいずれか一項に記載のアプリケーターデバイス。
【請求項１０】
ドリップガードがテーパーチップの少なくとも一部の遠位にある、請求項９に記載のアプリケーターデバイス。
【請求項１１】
ドリップガードが環状リングを備える、請求項９に記載のアプリケーターデバイス。
【請求項１２】
ドリップガードが環状溝を備える、請求項１１に記載のアプリケーターデバイス。
【請求項１３】
ドリップガードがテーパーチップの少なくとも一部を囲んでいる、請求項９に記載のアプリケーターデバイス。
【請求項１４】
ディスペンサーチップの少なくとも一部がチューブに取り付けられ、ディスペンサーチップとチューブとの間に液密シールを形成する、請求項１〜１３のいずれか一項に記載のアプリケーターデバイス。
【請求項１５】
ディスペンサーチップが、約０．０２インチ未満の内径および約０．０５インチ未満の外径を有する遠位開口部を有する、請求項１〜１４のいずれか一項に記載のアプリケーターデバイス。
【請求項１６】
アプリケーターデバイスが、チューブが圧搾され、および次いで開放されたときに、チューブ内に真空を作るように構築および配置されている、請求項１〜１５のいずれか一項に記載のアプリケーターデバイス。
【請求項１７】
医薬組成物が、カンタリジン、抗真菌薬、抗菌薬、抗ウイルス薬、コルチコステロイド、ステロイド、免疫賦活薬、化学療法薬、角質溶解薬、抗ヒスタミン、および抗炎症剤からなる群から選択される組成物を含む、請求項１〜１６のいずれか一項に記載のアプリケーターデバイス。
【請求項１８】
医薬組成物が、
エタノールの重量パーセント当たり約２５以上および約３５以下の重量；
アセトンの重量パーセント当たり約５５以上および約６５以下の重量；
エーテルの重量パーセント当たり約１０以下の重量；
ヒドロキシプロピルセルロースの重量パーセント当たり約０．１以上および約２以下の重量；
ニトロセルロースの重量パーセント当たり約２．０以上および約１０以下の重量；
ヒマシ油の重量パーセント当たり約０．５以上および約２以下の重量；
カンタリジンの重量パーセント当たり約０．１以上および約１．５以下の重量；
安息香酸デナトニウムの重量パーセント当たり約０．００１以上および約０．０１以下の重量；および
ゲンチアナバイオレットの重量パーセント当たり約０．０００１以上および約０．００１以下の重量
を含む、請求項１に記載のアプリケーターデバイス。
【請求項１９】
対象への医薬組成物の局所投与のための医薬組成物を分配するためのアプリケーターデバイスであって、
チューブ；
チューブ内に含有される医薬組成物；
チューブに連結されたディスペンサーチップ；および
ディスペンサーチップを受け取るための開口部を有するキャップ、ここで、キャップは、ディスペンサーチップの少なくとも一部が開口部を通過する閉位置を有し、ここで、キャップは、ディスペンサーチップに連結され、およびディスペンサーチップの少なくとも一部の上に位置し、
ここで、キャップが閉位置にあるとき、ディスペンサーチップの通気は、キャップの開口部を通じて可能になる、
を備える、前記アプリケーターデバイス。
【請求項２０】
ディスペンサーチップの通気がキャップの開口部を通じてのみ生じる、請求項１９に記載のアプリケーターデバイス。
【請求項２１】
ディスペンサーチップの表面に溝をさらに備え、ここで、ディスペンサーチップの通気が溝を通じて生じる、請求項１９に記載のアプリケーターデバイス。
【請求項２２】
キャップが閉位置にあるとき、溝の少なくとも一部がキャップ内に受け取られる、請求項２１に記載のアプリケーターデバイス。
【請求項２３】
キャップが、アプリケーターデバイスの回転を防ぐように構成された平坦な側面を有する外部表面を備える、請求項１９〜２２のいずれか一項に記載のアプリケーターデバイス。
【請求項２４】
キャップが、六角形を形成する６の平坦な側面を有する外部表面を備え、ここで、平坦な側面はアプリケーターデバイスの回転を防ぐように構成されている、請求項１９〜２３のいずれか一項に記載のアプリケーターデバイス。
【請求項２５】
対象への医薬組成物の局所投与のための医薬組成物を分配するためのキットであって、
複数のアプリケーターデバイス、ここで、各アプリケーターデバイスは、
チューブ；
チューブ内に位置するアンプル；
アンプル内に含有された医薬組成物；
チューブに取り付けられたディスペンサーチップ、ここで、ディスペンサーチップはテーパーチップを有する；および
ディスペンサーチップのテーパーチップ内に位置するフィルター、ここで、フィルターは、流体の通過を可能にし、および少なくとも１５０μｍの粒子サイズを有する割られたアンプル破片の通過を妨げるように構築および配置されている；
を備え、および
使用のための指示
を含む、前記キット。
【請求項２６】
対象への医薬組成物の局所投与のための医薬組成物を分配するためのアプリケーターデバイスであって、
チューブ；
チューブ内に含有される医薬組成物；
チューブに取り付けられたディスペンサーチップ、ここで、ディスペンサーチップは、約０．０３インチ未満の内径および約０．０５インチ未満の外径を有する遠位開口部で終わるテーパーチップを有する、
を備える、前記アプリケーターデバイス。